(57)【要約】【課題】リダイレクトレスポンスを受けた場合に、送信機側で複数の代替機の中から転送先を選択することが可能なネットワークファクシミリ装置を提供する。【解決手段】受信側ファクシミリ装置３０は複数のリダイレクト宛先４０ａ〜４０ｃを設定してＳＩＰサーバ１０に登録し（Ｐ１）、ＳＩＰサーバ１０は送信側ファクシミリ装置２０からの受信側ファクシミリ装置３０への接続要求（Ｐ２）に対して、該受信側ファクシミリ装置３０によって設定された複数のリダイレクト宛先４０ａ〜４０ｃの宛先情報をリダイレクトレスポンスとして返送する（Ｐ３）。送信側ファクシミリ装置２０はこれら複数のリダイレクト宛先を一覧表示し、ユーザにより選択されたリダイレクト宛先あるいは所定条件により自動選択したリダイレクト宛先へファクシミリ送信する（Ｐ４）。【選択図】図１
2007312336.tif 000002
【特許請求の範囲】
【請求項１】
セッション制御プロトコルに基づき、セッション制御を行なうネットワークファクシミリ装置において、
自機を特定する特定情報と、該特定情報と前記自機の代替をすることが可能な複数の他機のネットワークファクシミリ装置を特定する特定情報とを関連付けてＳＩＰサーバに登録する登録手段を備えた
ことを特徴とするネットワークファクシミリ装置。
【請求項２】
前記登録手段に登録する他機の前記特定情報に、該他機の属性情報が含まれる
ことを特徴とする請求項１に記載のネットワークファクシミリ装置。
【請求項３】
前記属性情報は、前記他機の位置情報、通信種別、受信可能時刻情報の少なくとも１つを含む
ことを特徴とする請求項２に記載のネットワークファクシミリ装置。
【請求項４】
セッション制御プロトコルに基づき、セッション制御を行なうネットワークファクシミリ装置において、
ＳＩＰサーバに対して送信先端末との接続を要求する要求手段と、
前記接続要求に対する応答として、前記送信先端末とは異なる複数の他機のネットワークファクシミリ装置の特定情報を前記ＳＩＰサーバより受信する受信手段と、
前記受信手段で受信した複数の他機のネットワークファクシミリ装置を特定する特定情報を表示する表示手段と
を備えた
ことを特徴とするネットワークファクシミリ装置。
【請求項５】
前記表示手段で表示される他機の前記特定情報には、該他機の属性情報が含まれる
ことを特徴とする請求項４に記載のネットワークファクシミリ装置。
【請求項６】
前記属性情報には、他機の位置情報が含まれる
ことを特徴とする請求項５に記載のネットワークファクシミリ装置。
【請求項７】
前記属性情報には、他機の受信可能時刻情報が含まれる
ことを特徴とする請求項５または６に記載のネットワークファクシミリ装置。
【請求項８】
前記ＳＩＰサーバより受信した他機の特定情報の内容に応じて、前記表示手段で表示される他機の特定情報が制御される
ことを特徴とする請求項４乃至７のいずれか１つに記載のネットワーク
ファクシミリ装置。
【請求項９】
前記受信可能時刻情報に応じて、前記表示手段で表示される他機の特定情報が制御される
ことを特徴とする請求項７に記載のネットワークファクシミリ装置。
【請求項１０】
前記制御において、前記ＳＩＰサーバより受信した複数の他機の特定情報の中から所定条件に合致するものを識別表示する
ことを特徴とする請求項８または９に記載のネットワークファクシミリ装置。
【請求項１１】
前記表示手段で表示される複数の他機の特定情報の中から任意の１つまたは複数を選択する選択手段をさらに備えた
ことを特徴とする請求項４乃至１０のいずれか１つに記載のネットワークファクシミリ装置。
【請求項１２】
セッション制御プロトコルに基づきセッション制御を行なう送信側ネットワークファクシミリ装置と受信側ネットワークファクシミリ装置とＳＩＰサーバとを有するネットワークファクシミリシステムにおいて、
前記受信側ネットワークファクシミリ装置は、自機を特定する特定情報と、該特定情報と前記自機の代替をすることが可能な複数の他機のネットワークファクシミリ装置を特定する特定情報とを前記ＳＩＰサーバに送信して関連付けて登録させ、
前記送信側ネットワークファクシミリ装置は、前記受信側ネットワークファクシミリ装置との接続を前記ＳＩＰサーバに要求し、
前記ＳＩＰサーバは、前記送信側ネットワークファクシミリ装置から前記受信側ネットワークファクシミリ装置との接続を要求された場合に、前記受信側ネットワークファクシミリ装置の前記特定情報に関連付けて登録されている前記複数の他機のネットワークファクシミリ装置の前記特定情報を前記送信側ネットワークファクシミリ装置に送信する
ことを特徴とするネットワークファクシミリシステム。
【請求項１３】
前記送信側ネットワークファクシミリ装置は、前記接続要求に対する応答として、前記受信側ネットワークファクシミリ装置とは異なる複数の他機のネットワークファクシミリ装置の特定情報を前記ＳＩＰサーバより受信した場合に、該受信した複数の他機のネットワークファクシミリ装置の特定情報を表示する
ことを特徴とする請求項１２に記載のネットワークファクシミリシステム。
【発明の詳細な説明】
【技術分野】
【０００１】
本発明は、セッション制御プロトコルに基づくセッション制御によって通信路を確立してファクシミリ通信を行なうネットワークファクシミリ装置に関する。
【背景技術】
【０００２】
ネットワークファクシミリの通信方式の１つとして、セッション制御プロトコル（ＳＩＰ…Session Initiation Protocol）を利用し、送受信機間をインターネットなどのネットワークを介してピア・ツゥ・ピアに接続して画像データを伝送するものがある。ＳＩＰにおいては、ネットワーク上に配置したＳＩＰサーバと呼ばれるサーバ（実際にはプロキシサーバ、登録サーバ、ロケーションサーバ、リダイレクトサーバなどで構成される）にファクシミリ装置を特定するための識別情報（例えば、公衆回線におけるＦＡＸの電話番号）とＩＰ（Internet Protocol）アドレスとを関連付けて登録しておき、送信機からＳＩＰサーバに対して宛先のＦＡＸ番号で接続を要求すると、ＳＩＰサーバは送信機から受け取ったＦＡＸ番号に対応するＩＰアドレスを検索し、該ＩＰアドレスを使用して送信機と宛先の受信機との呼接続を行なうようになっている。
【０００３】
また、ＳＩＰサーバでは、ＦＡＸ番号と関連付けて登録しておくＩＰアドレスを一時的に代替アドレス（リダイレクトアドレス）に設定変更する機能を提供しており、代替アドレスが設定されたＦＡＸ番号に対して送信機から接続要求があると、ＳＩＰサーバは、現在一時的に代替アドレスが設定されていることおよびその代替アドレスを、リダイレクトレスポンスとして送信機に通知するようになっている。
【０００４】
このような代替アドレスは、送信者の意図に反する宛先である場合がある。そこで、リダイレクトレスポンスが通知された場合に通信を自動的に中断することで、送信者の意図しない端末へファクシミリ送信されることを防止したネットワーク対応ファクシミリ装置がある（たとえば、特許文献１参照。）。さらにこの装置では、送信機側で代替アドレスとして許可する許可アドレスを予め登録しておき、リダイレクトレスポンスで通知された代替アドレスが許可アドレスと一致する場合に限り、この代替アドレスが示す宛先へ自動で転送するようになっている。
【０００５】
【特許文献１】特開２００５−９４６６２号公報
【発明の開示】
【発明が解決しようとする課題】
【０００６】
上記の技術では、リダイレクトレスポンスを受けた場合に、予め設定されている許可アドレスを除き、代替アドレスへは転送しないので、送信者の意図しない宛先への送信が防止される。しかしながら、各ＦＡＸ番号に関連付けてＳＩＰサーバに登録可能な代替アドレスが１つであるため、リダイレクトレスポンスを受けた送信機側で可能な選択は、その代替アドレスへ転送するか否かの判断に過ぎなかった。このため、たとえ、あるＦＡＸ番号の代替機として利用可能な端末がネットワーク上に複数存在する場合でも、送信機側のユーザが複数の代替機の中から転送先を選択するようなことはできなかった。
【０００７】
また、リダイレクトレスポンスとしてＳＩＰサーバから代替アドレスを通知するだけでは、代替機に関する情報が不十分で、どのような宛先であるかを送信機側で判断できず、複数の代替機が通知されたとしても、その中から送信者の意向に合った適切なものを選択することはできない。
【０００８】
本発明は、上記の問題に鑑みてなされたものであり、リダイレクトレスポンスを受けた場合に、送信機側で複数の代替機の中から転送宛先を選択することが可能なネットワークファクシミリ装置およびネットワークファクシミリシステムを提供することを目的としている。
【０００９】
また、代替機を選択するための情報を送信機側に提供可能なネットワークファクシミリ装置およびネットワークファクシミリシステムを提供することを目的としている。
【課題を解決するための手段】
【００１０】
かかる目的を達成するための本発明の要旨とするところは、次の各項の発明に存する。
（１）セッション制御プロトコルに基づき、セッション制御を行なうネットワークファクシミリ装置において、
自機を特定する特定情報と、該特定情報と前記自機の代替をすることが可能な複数の他機のネットワークファクシミリ装置を特定する特定情報とを関連付けてＳＩＰサーバに登録する登録手段を備えた
ことを特徴とするネットワークファクシミリ装置。
【００１１】
上記発明では、当該ネットワークファクシミリ装置は受信機であり、送信機から送られてくる情報を自機の代わりに受信する複数の代替機（他機、リダイレクト宛先）をＳＩＰサーバに登録することができる。ＳＩＰサーバに登録する自機の特定情報とは、セッション制御プロトコルにおいてＳＩＰサーバが当該ネットワークファクシミリ装置を特定するための識別情報であり、たとえば、自機のＦＡＸ番号やＩＰアドレスなどが使用される。他機の特定情報は、送受信機間でネットワークを介して直接通信するためにネットワーク上で他機を特定するための識別情報、たとえば、ＩＰアドレスや電子メールアドレスなどを少なくとも含む情報である。
【００１２】
（２）前記登録手段に登録する他機の前記特定情報に、該他機の属性情報が含まれる
ことを特徴とする（１）に記載のネットワークファクシミリ装置。
【００１３】
上記発明では、複数登録された他機の中からリダイレクト宛先として適切な端末を選択するための付加情報として該他機の属性情報を特定情報に含めている。たとえば、他機の特定情報がＩＰアドレスなどネットワーク上のアドレス情報のみの場合には、その端末がどのような属性を持つ端末であるかを認識できないが、他機の特定情報に該他機の属性情報を含めることで、複数登録された他機の中からリダイレクト宛先として適切な端末を属性情報に基づいて選択することが可能になる。
【００１４】
（３）前記属性情報は、前記他機の位置情報、通信種別、受信可能時刻情報の少なくとも１つを含む
ことを特徴とする（２）に記載のネットワークファクシミリ装置。
【００１５】
他機の位置情報は、他機の設置場所を識別するための情報であり、たとえば、自宅、会社名、会社内の部署名などで設置場所が示される。通信種別は、他機が通話用の電話機かファクシミリ装置かなどを示す。受信可能時刻は、装置がファクシミリ受信可能な時間帯、装置の近くに人が居る時間帯などを示す。曜日、平日／土日祝祭日などを区別して受信可能時刻を表してもよい。
【００１６】
（４）セッション制御プロトコルに基づき、セッション制御を行なうネットワークファクシミリ装置において、
ＳＩＰサーバに対して送信先端末との接続を要求する要求手段と、
前記接続要求に対する応答として、前記送信先端末とは異なる複数の他機のネットワークファクシミリ装置の特定情報を前記ＳＩＰサーバより受信する受信手段と、
前記受信手段で受信した複数の他機のネットワークファクシミリ装置を特定する特定情報を表示する表示手段と
を備えた
ことを特徴とするネットワークファクシミリ装置。
【００１７】
上記発明によれば、当該ネットワークファクシミリ装置は送信機であり、ＳＩＰサーバに対して送信先端末との接続を要求する。該接続要求に対してＳＩＰサーバから複数のリダイレクト宛先（送信先端末とは異なる他機）の特定情報が通知された場合、該複数のリダイレクト宛先の特定情報をたとえば一覧で表示する。ユーザはこの表示に基づいて複数のリダイレクト宛先の中から適当な転送先を選択することが可能になる。
【００１８】
（５）前記表示手段で表示される他機の前記特定情報には、該他機の属性情報が含まれる
ことを特徴とする（４）に記載のネットワークファクシミリ装置。
【００１９】
上記発明では、ＳＩＰサーバから受信される他機の特定情報にはその他機の属性情報が含まれており、表示手段は該属性情報を含めて他機の特定情報を表示する。属性情報は複数の他機の中からリダイレクト宛先として適切な端末を選択するためなどに利用される。
【００２０】
（６）前記属性情報には、他機の位置情報が含まれる
ことを特徴とする（５）に記載のネットワークファクシミリ装置。
【００２１】
（７）前記属性情報には、他機の受信可能時刻情報が含まれる
ことを特徴とする（５）または（６）に記載のネットワークファクシミリ装置。
【００２２】
（８）前記ＳＩＰサーバより受信した他機の特定情報の内容に応じて、前記表示手段で表示される他機の特定情報が制御される
ことを特徴とする（４）乃至（７）のいずれか１つに記載のネットワークファクシミリ装置。
【００２３】
上記発明では、他機の特定情報（特に属性情報）の内容により、他機を選別して表示したり、表示順序を並べ替えたり、表示形式を異ならせたりするなどの制御が行なわれる。これにより、ユーザがリダイレクト宛先を選択しやすい表示内容にすることができる。
【００２４】
（９）前記受信可能時刻情報に応じて、前記表示手段で表示される他機の特定情報が制御される
ことを特徴とする（７）に記載のネットワークファクシミリ装置。
【００２５】
上記発明では、たとえば、現在時刻において受信可能な他機が優先的に表示される。
【００２６】
（１０）前記制御において、前記ＳＩＰサーバより受信した複数の他機の特定情報の中から所定条件に合致するものを識別表示する
ことを特徴とする（８）または（９）に記載のネットワークファクシミリ装置。
【００２７】
上記発明では、所定条件に合致する他機の特定情報がその他の他機の特定情報と区別して表示される。たとえば、合致する他機だけを表示したり、所定条件に合致する他機と合致しない他機とを異なる表示形式で表示したりする。
【００２８】
（１１）前記表示手段で表示される複数の他機の特定情報の中から任意の１つまたは複数を選択する選択手段をさらに備えた
ことを特徴とする（４）乃至（１０）のいずれか１つに記載のネットワークファクシミリ装置。
【００２９】
上記発明では、ユーザは表示手段に表示された複数の他機の中から、リダイレクト宛先にする任意の１つまたは複数の他機を選択することができる。
【００３０】
（１２）セッション制御プロトコルに基づきセッション制御を行なう送信側ネットワークファクシミリ装置と受信側ネットワークファクシミリ装置とＳＩＰサーバとを有するネットワークファクシミリシステムにおいて、
前記受信側ネットワークファクシミリ装置は、自機を特定する特定情報と、該特定情報と前記自機の代替をすることが可能な複数の他機のネットワークファクシミリ装置を特定する特定情報とを前記ＳＩＰサーバに送信して関連付けて登録させ、
前記送信側ネットワークファクシミリ装置は、前記受信側ネットワークファクシミリ装置との接続を前記ＳＩＰサーバに要求し、
前記ＳＩＰサーバは、前記送信側ネットワークファクシミリ装置から前記受信側ネットワークファクシミリ装置との接続を要求された場合に、前記受信側ネットワークファクシミリ装置の前記特定情報に関連付けて登録されている前記複数の他機のネットワークファクシミリ装置の前記特定情報を前記送信側ネットワークファクシミリ装置に送信する
ことを特徴とするネットワークファクシミリシステム。
【００３１】
上記発明では、受信側ネットワークファクシミリ装置は自機の特定情報と、自機の特定情報と関連付けられた複数の他機のネットワークファクシミリ装置（リダイレクト宛先の端末）の特定情報とをＳＩＰサーバに送信して登録させる。送信側ネットワークファクシミリ装置が、受信側ネットワークファクシミリ装置との接続をＳＩＰサーバに要求すると、ＳＩＰサーバは、受信側ネットワークファクシミリ装置の代替機として登録されている複数の他機のネットワークファクシミリ装置（リダイレクト宛先）の特定情報を送信側ネットワークファクシミリ装置に送信する。
【００３２】
（１３）前記送信側ネットワークファクシミリ装置は、前記接続要求に対する応答として、前記受信側ネットワークファクシミリ装置とは異なる複数の他機のネットワークファクシミリ装置の特定情報を前記ＳＩＰサーバより受信した場合に、該受信した複数の他機のネットワークファクシミリ装置の特定情報を表示する
ことを特徴とする（１２）に記載のネットワークファクシミリシステム。
【００３３】
上記発明では、送信側ネットワークファクシミリ装置は、ＳＩＰサーバから通知された複数のリダイレクト宛先（受信側ネットワークファクシミリ装置とは異なる端末）の特定情報を表示する。ユーザは該表示に基づいて複数のリダイレクト宛先の中から適当な転送先を選択することが可能になる。
【発明の効果】
【００３４】
本発明に係わるネットワークファクシミリ装置およびネットワークファクシミリシステムによれば、１つの受信機に対して複数の代替機を登録することができ、リダイレクトレスポンスを受けた送信機側において複数の代替機の中から転送先を選択することができる。
【００３５】
また、代替機に関する位置情報、通信種別、受信可能時刻情報などの属性情報をＳＩＰサーバに登録しておき、該属性情報をリダイレクトレスポンスにて送信機側に提供するものでは、提供された属性情報に基づいて送信機側で代替機を選択することができ、ユーザの意向に合った代替機へ転送することが可能になる。
【発明を実施するための最良の形態】
【００３６】
以下、図面に基づき本発明の実施の形態を説明する。
【００３７】
図１は、本発明の実施の形態に係わるネットワークファクシミリシステム５の構成例を示している。ネットワークファクシミリシステム５は、セッション制御プロトコルを利用して呼接続を行ない、ネットワーク２を介して送受信機間をピア・ツゥ・ピアに接続して画像情報を伝送するように構成されたファクシミリシステムであり、インターネットなどのネットワーク２にＳＩＰサーバ１０と、送信側ファクシミリ装置２０と、受信側ファクシミリ装置３０と、リダイレクト宛先４０ａ〜４０ｃとを接続して構成される。なお、ネットワーク２に接続される各装置１０、２０、３０、４０ａ〜４０ｃは図示した台数に限定されず、多数接続されてもよい。
【００３８】
ＳＩＰサーバ１０は、実際には、プロキシサーバ、登録サーバ、ロケーションサーバ、リダイレクトサーバなどの複数のサーバで構成される。送信側ファクシミリ装置２０、受信側ファクシミリ装置３０、リダイレクト宛先４０ａ〜４０ｃは、それぞれ、セッション制御プロトコルに基づいてセッション制御を行なうネットワーク対応型のファクシミリ装置として構成されている。図示省略してあるが、これらはいずれもＣＰＵを主要部とする制御部、原稿を光学的に読み取って画像データを取得するスキャナ部、画像を記録紙に印刷するプリンタ部、操作画面の表示とユーザ操作の受け付けを行なう操作表示部、画像データなどを記憶するハードディスク装置、ネットワーク２を介して通信するための通信部などで構成されている。
【００３９】
ネットワークファクシミリシステム５では、受信側ファクシミリ装置３０はＳＩＰサーバ１０に対して、自機を特定するための識別情報とネットワーク２上のアドレス情報（ここでは、自機のＩＰアドレス）とを関連付けた特定情報（宛先情報）を予め登録する（図１、Ｐ１）。本実施の形態では、自機を特定するための識別情報は公衆回線におけるＦＡＸの電話番号（ＦＡＸ番号）であるものとする。
【００４０】
ＳＩＰサーバ１０は送信側ファクシミリ装置２０から受信側ファクシミリ装置３０のＦＡＸ番号で接続要求を受けると（Ｐ２）、そのＦＡＸ番号に関連付けて登録されているＩＰアドレスを検索し、該ＩＰアドレスを使用して送信側ファクシミリ装置２０と受信側ファクシミリ装置３０との呼接続を行なうようになっている。呼接続後における画像データの伝送方式は任意であり、たとえば、ＩＴＵ−Ｔ（International Telecommunication Union-Telecommunication sector）の勧告Ｔ.３８に準拠したプロトコルが使用される。
【００４１】
また、受信側ファクシミリ装置３０は、自機のＦＡＸ番号と関連付けて、自機と異なる他機（たとえば、リダイレクト宛先４０ａ〜４０ｃなどの代替機）のＩＰアドレスを含む宛先情報（他機の特定情報）を一時的に登録すること（以後、リダイレクト設定と呼ぶ。）をＳＩＰサーバ１０に対して要求することができる（図１のＰ１）。ＳＩＰサーバ１０は、リダイレクト設定のなされたＦＡＸ番号に対して送信側ファクシミリ装置２０から接続要求があると（Ｐ２）、そのＦＡＸ番号に対して現在一時的に設定されているリダイレクト宛先の宛先情報をリダイレクトレスポンスとして接続要求元の送信側ファクシミリ装置２０に通知する（Ｐ３）。送信側ファクシミリ装置２０はリダイレクトレスポンスで通知されたリダイレクト宛先の中から選択した宛先に対してファクシミリ送信などを実行する（Ｐ４）ようになっている。
【００４２】
受信側ファクシミリ装置３０は、通信手段３１と、宛先設定登録手段３２と、ＩＰ電話機３３としての機能を有する。通信手段３１はネットワーク２を通じてＳＩＰサーバ１０や他のファクシミリ装置と通信する機能を果たし、宛先設定登録手段３２はリダイレクト宛先の設定操作をユーザから受け付けたり、設定されたリダイレクト宛先の宛先情報（他機の特定情報）をＳＩＰサーバ１０に送信して登録したりする機能を果たす。ここでは、１つのＦＡＸ番号（識別情報）に対して複数のリダイレクト宛先（他機の特定情報）を設定することが可能になっている。また、各リダイレクト宛先の宛先情報として、リダイレクト宛先のＩＰアドレス（リダイレクトアドレス）のほか当該リダイレクト宛先の通信種別（電話機かファクシミリ装置かなどを示す付帯情報）を設定登録するようになっている。
【００４３】
ＳＩＰサーバ１０は、通信手段１１と、宛先情報蓄積手段１２としての機能を有している。通信手段１１はネットワーク２を通じてファクシミリ装置２０、３０などと通信する機能を果たす。宛先情報蓄積手段１２は、ＦＡＸ番号毎に、そのＦＡＸ番号がリダイレクト設定中か否かを示す情報を記憶すると共に、リダイレクト設定されていないＦＡＸ番号については、ＦＡＸ番号とそのＦＡＸ番号のファクシミリ装置のＩＰアドレスとを関連付けした宛先情報（受信側ファクシミリ装置３０の特定情報）を記憶する。また、リダイレクト設定されているＦＡＸ番号については、ＦＡＸ番号とリダイレクト宛先のＩＰアドレス（リダイレクトアドレス）と通信種別とを関連付けした宛先情報（リダイレクト宛先４０ａ〜ｃ等の他機の特定情報）を複数のリダイレクト宛先について記憶する機能を果たす。
【００４４】
ＳＩＰサーバ１０は、接続要求を受けたＦＡＸ番号に対してリダイレクト設定がなされている場合は、該ＦＡＸ番号に関連付けて登録されているすべてのリダイレクト宛先の宛先情報をリダイレクトレスポンスとして接続要求元のファクシミリ装置へ返送するようになっている。
【００４５】
送信側ファクシミリ装置２０は、通信手段２１と、通信情報取得／設定手段２２と、送信先設定手段２３と、リダイレクト宛先選択手段２４と、リダイレクト宛先一覧表示手段２５としての機能を果たす。通信手段２１はネットワーク２を通じてＳＩＰサーバ１０や他のファクシミリ装置３０、４０ａ〜４０ｃと通信する機能を果たし、送信先設定手段２３はファクシミリ送信する際の宛先（送信先）の設定をユーザから受ける機能を果たす。ここでは、ＦＡＸ番号で宛先指定を受けるようになっている。
【００４６】
通信情報取得／設定手段２２は他の装置１０、３０、４０ａ〜４０ｃと通信する際に、他の装置へ送信する情報を作成・管理・蓄積したり他の装置から受信した情報を管理・蓄積したりする機能などを果たす。リダイレクト宛先一覧表示手段２５は、ＳＩＰサーバ１０からリダイレクトレスポンスを受けた場合に、該リダイレクトレスポンスに含まれる複数のリダイレクト宛先の宛先情報（他機の特定情報）を表示する表示手段としての機能を果たす。リダイレクト宛先選択手段２４は、リダイレクト宛先一覧表示手段２５に宛先情報が表示された複数のリダイレクト宛先の中から任意の１または複数のリダイレクト宛先を選択する選択手段としての機能を果たす。
【００４７】
なお、リダイレクト宛先一覧表示手段２５の表示内容は宛先情報に含まれる各種の属性情報に基づいて制御される。たとえば、ＳＩＰサーバ１０から受信したリダイレクトレスポンスが示す複数のリダイレクト宛先の中から所定条件に合致するものだけを抽出して表示したり、所定条件に合致するものと合致しないものとを異なる表示形式で表示したりする。
【００４８】
図２は、受信側ファクシミリ装置３０がリダイレクト設定を行なう際の処理の流れを示し、図３は、該処理において受信側ファクシミリ装置３０の操作表示部に表示される操作画面の遷移の一例を示している。まず、受信側ファクシミリ装置３０においてリダイレクト宛先に関する宛先情報の設定が行なわれる（ステップＳ１０１）。詳細には、図３（ａ）に示すようなリダイレクト宛先設定画面５０にて少なくとも１つのリダイレクト宛先がユーザにより設定される。ユーザはリダイレクト宛先を複数設定することができる。
【００４９】
リダイレクト宛先設定画面５０にていずれか１つのリダイレクト宛先を選択した状態で詳細設定釦５１を操作すると、図３（ｂ）に示す詳細設定画面５３ａが表示される。ユーザは詳細設定画面５３ａの宛先入力欄５４にリダイレクト宛先のＩＰアドレスを設定する。また  該リダイレクト宛先に関する属性情報として、送信先情報入力欄５５に位置情報（送信先情報）を設定し、番号種別入力欄５６に通信種別を設定し、受信可能時間入力欄５７に受信可能時間を設定することができる。送信先情報入力欄５５には、宛先入力欄５４に設定された宛先に対応する受信機がどの場所に設置されているかを示す情報を入力する。たとえば、自宅、会社名などを入力する。
【００５０】
番号種別入力欄５６には、宛先入力欄５４に設定された宛先に対応する受信機の通信種別を入力し、たとえば、ファクシミリ装置か、電話機か、ファクシミリ機能と電話機能とを併せ持つ電話付きファクシミリ装置かなどの情報を入力する。受信可能時間入力欄５７には、宛先入力欄５４に設定された宛先に対応する受信機の近くにユーザが居る可能性の高い時間帯を入力する。これらの入力は、ユーザが操作表示部から直接入力してもよいし、番号種別などに関しては予め用意した選択肢の中から選択させてもよい。たとえば、詳細設定画面５３ａで番号種別入力欄５６を選択した状態で変更釦５８を押下すると、図３（ｃ）の詳細設定画面５３ｂに示す選択肢欄５９が表示され、ユーザはこの選択肢欄５９に表示された中で通信種別を選択する。
【００５１】
リダイレクト宛先に関する設定が完了してリダイレクト宛先設定画面５０のＯＫ釦５２が押下されると、設定されたリダイレクト宛先に関する宛先情報がリダイレクト設定要求としてＳＩＰサーバ１０へ送信され、ＳＩＰサーバ１０の宛先情報蓄積手段１２に登録される（ステップＳ１０２）。
【００５２】
図４は、送信側ファクシミリ装置２０における処理の流れを示している。送信先設定手段２３にて送信先のＦＡＸ番号が指定され、原稿が図示省略のスキャナ部にセットされた状態でファクシミリ送信のスタート釦（図示省略）が操作されると、送信側ファクシミリ装置２０はＳＩＰサーバ１０に対して送信先のＦＡＸ番号に対応するＩＰアドレスの問い合わせ（該ＦＡＸ番号に対応する受信側ファクシミリ装置３０への接続要求）を行なう（ステップＳ２０１、図１のＰ２）。
【００５３】
ここで、送信先のＦＡＸ番号に対してリダイレクト設定がなされているときは、接続要求に対する応答としてＳＩＰサーバ１０からリダイレクトレスポンスが受信される（ステップＳ２０２、図１のＰ３）。送信側ファクシミリ装置２０は、ＳＩＰサーバ１０から受信したリダイレクトレスポンスに含まれるすべてのリダイレクト宛先の宛先情報をリダイレクト宛先一覧表示手段２５に一覧表示する（ステップＳ２０３）。
【００５４】
ユーザは、リダイレクト宛先一覧表示手段２５に表示された１または複数のリダイレクト宛先の中から所望の宛先を各リダイレクト宛先の宛先情報を参考にして選択する（ステップＳ２０４）。リダイレクト宛先が選択されると、該選択されたリダイレクト宛先へ、送信先設定手段２３で当初指定された送信先へ送信するはずであった画像情報を送信して（ステップＳ２０５）処理を終了する（エンド）。
【００５５】
図５（ａ）は、リダイレクトレスポンスに含まれるすべてのリダイレクト宛先の宛先情報を表示するための一覧表示画面７０の一例である。一覧表示画面７０は、リダイレクト宛先毎に、登録番号７１と、ＩＰアドレス（図中のリダイレクト宛先７２）と、位置情報（図中の送信先情報７３）と、通信種別（図中の種別７４）と、受信可能時間７５とが関連付けて横一列に表示される。図５（ｂ）に示すように、ユーザが所望のリダイレクト宛先の宛先情報の表示された行７６を押下すると、その行の表示色が反転して選択状態となる。１または２以上のリダイレクト宛先を選択した状態で送信釦７７を押下すると、選択されているリダイレクト宛先に対して画像情報がファクシミリ送信される。
【００５６】
なお、送信したいリダイレクト宛先が存在しない場合は、キャンセル釦７８を押下することで、送信を中止することができる。
【００５７】
このように、１つのＦＡＸ番号に対して複数のリダイレクト宛先が設定されている場合に、ＩＰアドレスの表示だけでは、各リダイレクト宛先がどのような場所にありどのような装置であるのかを判別することは難しいが、送信先情報、種別、受信可能時間などの属性情報が表示されるので、ユーザはこれらの情報を参考にして最適なリダイレクト宛先を選択することができる。
【００５８】
次に、リダイレクト宛先のマスク処理について説明する。  
図５では、ＳＩＰサーバ１０から受信したすべてのリダイレクト宛先の宛先情報を一覧表示したが、図４のステップＳ２０３において図６に示すマスク処理を施すことにより、所定の条件に合致するリダイレクト宛先と合致しないリダイレクト宛先とを区別して表示させることができる。
【００５９】
図６のマスク処理では、当該送信側ファクシミリ装置２０がファクシミリ送信を行なおうとしていたのか、電話をかけようとしていたのかを判断し、該判断結果に応じて表示内容を制御している。
【００６０】
詳細には、ＳＩＰサーバ１０から受信した複数のリダイレクト宛先の中からいずれか１つのリダイレクト宛先の宛先情報を取得する（ステップＳ３０１）。次に当該送信側ファクシミリ装置２０がファクシミリ送信を行なおうとしていたのか否かを判断し（ステップＳ３０２）、ファクシミリ送信を行なおうとしていた場合は（ステップＳ３０２；Ｙ）、先に取得したリダイレクト宛先の宛先情報に含まれる通信種別がファクシミリ（電話付きでもよい）か否かを調べる（ステップＳ３０３）。通信種別がファクシミリでない場合は（ステップＳ３０３；Ｎ）、そのリダイレクト宛先をマスク対象（網掛け）に設定する（ステップＳ３０５）。通信種別がファクシミリの場合は（ステップＳ３０３；Ｙ）、そのリダイレクト宛先はマスク対象にしない。
【００６１】
一方、当該送信側ファクシミリ装置２０がファクシミリ送信を行なうとしていない場合は（ステップＳ３０２；Ｎ）、ステップＳ３０１で取得したリダイレクト宛先の宛先情報に含まれる通信種別が電話（電話付きファクシミリでもよい）か否かを調べ（ステップＳ３０４）、電話でない場合は（ステップＳ３０４；Ｎ）、そのリダイレクト宛先をマスク対象に設定し（ステップＳ３０５）、通信種別が電話の場合は（ステップＳ３０４；Ｙ）、そのリダイレクト宛先をマスク対象にしない。
【００６２】
上記のマスク判定を行なった後、ＳＩＰサーバ１０から受信した複数のリダイレクト宛先の中でマスク判定が行なわれていないリダイレクト宛先が残っているか否かを調べ（ステップＳ３０６）、残っている場合は（ステップＳ３０６；Ｙ）、その中から次のリダイレクト宛先を取得（ステップＳ３０７）してステップＳ３０１に戻り、該リダイレクト宛先についてマスク判定を実行する。
【００６３】
なお、送信側ファクシミリ装置２０が、ファクシミリ送信を行なおうとしていたのか、電話をかけようとしていたのかの判断については、送信側ファクシミリ装置２０の操作設定画面で設定入力された情報を用いても良いし、送信側ファクシミリ装置２０におけるジョブのモード（例えば、ＦＡＸモード）の情報を用いて判断しても構わない。
【００６４】
すべてのリダイレクト宛先についてマスク判定が完了した場合は（ステップＳ３０６；Ｎ）、マスク判定後のデータに基づいて、リダイレクト宛先の一覧表示を行なう（ステップＳ３０８）。
【００６５】
図７は、マスク処理後のデータに基づいてリダイレクト宛先の宛先情報を一覧表示した一覧表示画面８０の一例である。この画面８０では、マスク対象のリダイレクト宛先には網掛けを施してある。また、この例は送信側ファクシミリ装置２０がファクシミリ送信を行なおうとしていた場合のものであり、通信種別が電話のリダイレクト宛先はマスク対象に設定され網掛けで表示されている。一方、通信種別がファクシミリ（電話付きでもよい）のリダイレクト宛先はマスク対象でなく網掛けされていない。ユーザはマスク（網掛け）されているリダイレクト宛先は送信先に選択できず、マスク（網掛け）されていないリダイレクト宛先の中からのみ送信先を選択することができる。
【００６６】
このように、当初の通信目的（ファクシミリ送信または電話）と合致するリダイレクト宛先と、合致しないリダイレクト宛先とを識別表示すると共に、合致しないリダイレクト宛先を送信先に選択できなくしてあるので、ファクシミリ送信を電話用のリダイレクト宛先に対して実行するようなことが防止される。
【００６７】
図８（ａ）は、マスク対象でないリダイレクト宛先のみを抽出して表示した一覧表示画面９０ａの一例であり、図８（ｂ）は同図（ａ）に対してさらに受信可能時間に基づくソート（並べ替え）処理を施した場合の一覧表示画面９０ｂの一例である。図８（ａ）では、通信種別が電話のリダイレクト宛先は表示対象から排除され、通信種別がファクシミリのリダイレクト宛先のみが抽出されて一覧表示されている。このように、当初の通信目的（ファクシミリ送信）と合致するリダイレクト宛先のみが一覧表示画面９０ａに表示されるので、ユーザは、図７に示すように網掛けの有無などで選択の可否を認識する必要がなく、ユーザによる送信先の選択判断・選択操作がさらに容易になる。
【００６８】
図８（ｂ）では、現在時刻と各リダイレクト宛先の受信可能時間とを比較し、現在時刻が設定されている受信可能時間に該当するリダイレクト宛先を最優先に表示（一覧の上位に表示）している。また受信可能時間内に現在時刻がないリダイレクト宛先の中では、現在時刻が受信可能時間に近いものをより優先させて表示してある。図８（ｂ）の例では現在時刻が「７：３０」であるので、受信可能時間が「７：００〜１２：００」となっているリダイレクト宛先（会社Ｂ）９１を一覧の最上位であるＮｏ.００１に表示している。また、受信可能時間が「２４：００〜７：００」となっているリダイレクト宛先（会社Ａ）９２は現在時刻との差が３０分であり、受信可能時間が「２０：００〜２４：００」であるリダイレクト宛先（自宅）９３は現在時刻との差が７時間３０分あるので、時間差の少ない前者９２を後者９３より上位に表示してある。
【００６９】
このように、近くに人が居る可能性の高いリダイレクト宛先が一覧の上位に優先表示されるので、ユーザは、適切なリダイレクト宛先を容易に選択することができる。
【００７０】
なお、ユーザ選択の有無にかかわらず、受信可能時間内に現在時刻が入っているリダイレクト宛先に対して自動的に送信するように構成してもよい。
【００７１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７２】
たとえば、ファクシミリ送信において、ユーザがリダイレクト宛先を１つも選択しないで送信釦を操作した場合には、以下の［１］〜［３］に示すような動作とすることができる。
【００７３】
［１］リダイレクトレスポンスで受信したリダイレクト宛先の中で通信種別がファクシミリであるすべてのリダイレクト宛先に送信する。
【００７４】
［２］リダイレクトレスポンスで受信したリダイレクト宛先の中で通信種別がファクシミリであるリダイレクト宛先のそれぞれについて現在時刻とそのリダイレクト宛先の受信可能時間とを対比し、受信可能時間内に現在時刻が入っているリダイレクト宛先が存在するときはそのリダイレクト宛先へ自動送信し、受信可能時間内に現在時刻が入っているリダイレクト宛先が存在しない場合は、通信種別がファクシミリであるリダイレクト宛先の中で登録番号が一番早いリダイレクト宛先へ送信する。
【００７５】
［３］リダイレクトレスポンスで受信したリダイレクト宛先の中で通信種別がファクシミリである登録番号が一番早いリダイレクト宛先へ送信する。
【００７６】
ここで登録番号は、受信可能時間などでソートした後の順位でもよいし、ＳＩＰサーバ１０にリダイレクト宛先として登録された時期が早い順などでもよく、適宜の基準で設定すればよい。リダイレクト宛先の属性情報を様々に利用することで、ユーザの選択を待たずに、送信側ファクシミリ装置２０において自動的にリダイレクト宛先を選択して送信することもできる。
【００７７】
このほか、実施の形態では、リダイレクト宛先の属性情報として位置情報、通信種別、受信可能時間を例示したが、リダイレクト宛先を選択するための指標となり得る属性項目であれば、その他のものでもかまわない。たとえば、リダイレクト宛先の能力（最大用紙サイズなど）などでもよい。また、位置情報として自宅、会社などを例示したが、会社内のフロア、部署、支店名などでもよい。通信種別においては、たとえば、ネットワークファクシミリとしての送信形態（ＩＴＵ−ＴのＴ．３７準拠、Ｔ.３８準拠など）が複数ある場合はそれらを区別してもかまわない。
【００７８】
実施の形態では受信可能時間に基づいてソート処理を行なったが、その他の属性項目に基づいてソートしてもよいし、ソートの基準となる項目を複数設定できるようにしてよい。たとえば、まず、受信可能時間でソートし、受信可能時間内に現在時刻が存するリダイレクト宛先が複数ある場合に、それらをさらに第２の基準（たとえば、送信先情報が会社であるものを自宅であるものより優先するなどの基準）でソートして表示してもよい。
【図面の簡単な説明】
【００７９】
【図１】本発明の実施の形態に係わるネットワークファクシミリシステムの構成例を示す説明図である。
【図２】受信側ファクシミリ装置がリダイレクト設定する際の処理を示す流れ図である。
【図３】リダイレクト宛先を設定する際に受信側ファクシミリ装置の操作表示部に表示される操作画面の遷移の一例を示す説明図である。
【図４】送信側ファクシミリ装置での処理を示す流れ図である。
【図５】受信側ファクシミリ装置に表示されるリダイレクト宛先の一覧表示画面の一例を示す説明図である。
【図６】受信側ファクシミリ装置が行なうマスク処理を示す流れ図である。
【図７】マスク対象のリダイレクト宛先を網掛け表示した一覧表示画面の一例を示す説明図である。
【図８】受信可能時間でソートする前後の一覧表示画面の一例を示す説明図である。
【符号の説明】
【００８０】
２…ネットワーク
５…ネットワークファクシミリシステム
１０…ＳＩＰサーバ
１１…通信手段
１２…宛先情報蓄積手段
２０…送信側ファクシミリ装置
２１…通信手段
２２…通信情報取得／設定手段
２３…送信先設定手段
２４…リダイレクト宛先選択手段
２５…リダイレクト宛先一覧表示手段
３０…受信側ファクシミリ装置
３１…通信手段
３２…宛先設定登録手段
４０ａ〜４０ｃ…リダイレクト宛先
５０…リダイレクト宛先設定画面
５１…詳細設定釦
５２…ＯＫ釦
５３ａ、５３ｂ…詳細設定画面
５４…宛先入力欄
５５…送信先情報入力欄
５６…番号種別入力欄
５７…受信可能時間入力欄
５８…変更釦
５９…選択肢欄
７０…一覧表示画面
７７…送信釦
７８…キャンセル釦
８０…マスク対象を網掛け表示した一覧表示画面
９０ａ…ソート前の一覧表示画面
９０ｂ…ソート後の一覧表示画面
【図１】
2007312336.tif 000003
【図２】
2007312336.tif 000004
【図３】
2007312336.tif 000005
【図４】
2007312336.tif 000006
【図５】
2007312336.tif 000007
【図６】
2007312336.tif 000008
【図７】
2007312336.tif 000009
【図８】
2007312336.tif 000010